(57)【要約】【課題】鳥獣侵入防止柵の電牧線の段数と高さを任意に設定可能とし、鳥獣侵入防止柵を設置してから長い時間が経過しても電牧線の段数と高さを容易に変更可能にする。【解決手段】鳥獣侵入防止柵を組み立てるとき、支柱固着部１０２の螺旋状の部分に支柱を通して、電牧金具１０１を支柱に取り付ける。アーム部１０４を形成する線材に状態決定部１０５の先端の鉤状の部分１０６を掛けると、支柱固着部１０２は螺旋状の部分が締まって固着状態となる。固着状態では、電牧金具１０１は、支柱に固定され、動かすことはできない。一方、アーム部１０４を形成する線材から状態決定部１０５の先端の鉤状の部分１０６を外すと、支柱固着部１０２の螺旋状の部分が弛み、支柱固着部１０２は遊嵌状態となる。遊嵌状態では、電牧金具１０１を支柱に沿って動かすことができる。電牧線把持部１０３は、アーム部１０４から更に伸びた線材で形成され、電牧線を把持する。【選択図】図１
2012029661.tif 000002
【特許請求の範囲】
【請求項１】
鳥獣侵入防止柵で用いられる電牧金具であって、
第１の螺旋状の部分を有する線材で形成され、当該第１の螺旋状の部分の中に支柱を通すことにより支柱に取り付けられるとき、当該第１の螺旋状の部分が締まると、支柱に固定される固着状態となり、当該第１の螺旋状の部分が弛むと、支柱に沿って動かすことが可能な遊嵌状態となる支柱固着部と、
前記支柱固着部を形成する線材の一端から伸びた線材で形成されるアーム部と、
前記アーム部を形成する線材から更に伸びた線材で形成され、電牧線を把持することができる電牧線把持部と、
前記支柱固着部を形成する線材の他端から伸びた線材で形成され、先端部で前記アーム部を拘持することができ、当該先端部で前記アーム部を拘持するとき、前記支柱固着部が固着状態となり、当該先端部で前記アーム部を拘持しないとき、前記支柱固着部が遊嵌状態となる状態決定部と、
を備えることを特徴とする電牧金具。
【請求項２】
前記状態決定部の先端部が鉤状の部分を構成し、前記アーム部を形成する線材に当該鉤状の部分を掛けるとき、前記先端部で前記アーム部を拘持することを特徴とする請求項１に記載の電牧金具。
【請求項３】
前記電牧線把持部を形成する線材が第２の螺旋状の部分を構成し、前記電牧線把持部が当該第２の螺旋状の部分を貫通する電牧線を把持することができることを特徴とする請求項１または２に記載の電牧金具。
【請求項４】
前記アーム部が、鳥獣侵入防止柵で用いられる網の目を貫通することができる所定の長さを有し、
前記電牧金具のアーム部が前記網の目を貫通し、前記電牧金具の前記支柱固着部と電牧線把持部の間に前記網が配置されている状態で、前記電牧線把持部が電牧線を把持することができる、
ことを特徴とする請求項１乃至３のいずれか１項に記載の電牧金具。
【請求項５】
前記アーム部の所定の長さが、１０ｃｍから３０ｃｍまでの間の長さであることを特徴とする請求項４に記載の電牧金具。
【請求項６】
請求項１乃至５のいずれか１項に記載の電牧金具と、
電気絶縁性を有し、前記電牧金具の支柱固着部が取り付けられた支柱と、
前記電牧金具の電牧線把持部によって把持された電牧線と、
前記支柱を挟んで前記電牧線の反対側に配置された網と、
前記支柱の上端に前記網の上端辺を係止する上段係止金具と、
前記支柱の下部を挟持し、前記支柱の下部に前記網の下端辺を係止する下段係止金具と、
を備えることを特徴とする鳥獣侵入防止柵。
【請求項７】
請求項４または５に記載の電牧金具と、
電気絶縁性を有し、前記電牧金具の支柱固着部が取り付けられた支柱と、
前記電牧金具の電牧線把持部によって把持された電牧線と、
前記支柱に対し、前記電牧線と同じ側に配置された網と、
前記支柱の上端に前記網の上端辺を係止する上段係止金具と、
前記支柱の下部を挟持し、前記支柱の下部に前記網の下端辺を係止する下段係止金具と、
を備え、
前記電牧金具のアーム部が前記網の目を貫通し、前記電牧金具の支柱固着部と電牧線把持部の間に前記網が配置されている、
ことを特徴とする鳥獣侵入防止柵。
【発明の詳細な説明】
【技術分野】
【０００１】
本発明は、高電圧が印加される電牧線を保持するための電牧金具およびそれを用いた鳥獣侵入防止柵に関する。
【背景技術】
【０００２】
電気ショックを利用して放牧家畜の逃走や野生動物の進入を防止する鳥獣侵入防止柵（あるいは、電気牧柵ともいう。）が知られている（例えば、特許文献１参照）。
鳥獣侵入防止柵では、放牧地や農地を囲むように地面に支柱を立て、電牧線を支柱の間に張る。支柱には、電牧線を所定の高さに保持するための孔や溝が設けられている。そして、この孔や溝を利用して電牧線を所定の高さに保持する。
電牧線は、鋼線やポリワイヤー（ポリエチレンの白いひもやリボン等にステンレスの細いワイヤーを編み込んだもの）等の電流が流れる線材で構成されている。電牧線には、高電圧が印加される。高電圧が印加された電牧線に動物が触れると、その動物は電気ショックを受け、それ以降鳥獣侵入防止柵に近づかなくなる。
【先行技術文献】
【特許文献】
【０００３】
【特許文献１】特開２００４−２８３０１２
【発明の開示】
【発明が解決しようとする課題】
【０００４】
特許文献１に開示されている電気牧柵（鳥獣侵入防止柵）では、支柱に設けられた孔や溝を利用して電牧線を保持する。このため、電牧線の段数と高さは支柱に設けられた孔や溝の数と位置により決まる。
しかし、鳥獣侵入防止柵を中山間地に設置する場合、斜面や窪み等地形の状況により放牧家畜の逃走防止や鳥獣の侵入防止に効果的な電牧線の段数や高さが替わる。
また、地面が硬くて支柱を基準深さまで打ち込めないため、電牧線の段数や高さを変更したい場合がある。
また、侵入防止に効果的な電牧線の段数や高さは、対象とする放牧家畜や鳥獣の大きさに応じて替わる。
更に、鳥獣侵入防止柵を設置した当初は例えば３段の電牧線で進入を防止できたが、数年経過した後、鳥獣が馴染んで３段では侵入を防止できなくなる場合がある。
【０００５】
本発明の目的は、電牧線の段数と高さを任意に設定でき、鳥獣侵入防止柵を設置してから長い時間が経過しても電牧線の段数と高さを容易に変更することができる電牧金具およびそれを用いた鳥獣侵入防止柵を提供することである。
【課題を解決するための手段】
【０００６】
鳥獣侵入防止柵で用いられる電牧金具であって、
第１の螺旋状の部分を有する線材で形成され、当該第１の螺旋状の部分の中に支柱を通すことにより支柱に取り付けられるとき、当該第１の螺旋状の部分が締まると、支柱に固定される固着状態となり、当該第１の螺旋状の部分が弛むと、支柱に沿って動かすことが可能な遊嵌状態となる支柱固着部と、
前記支柱固着部を形成する線材の一端から伸びた線材で形成されるアーム部と、
前記アーム部を形成する線材から更に伸びた線材で形成され、電牧線を把持することができる電牧線把持部と、
前記支柱固着部を形成する線材の他端から伸びた線材で形成され、先端部で前記アーム部を拘持することができ、当該先端部で前記アーム部を拘持するとき、前記支柱固着部が固着状態となり、当該先端部で前記アーム部を拘持しないとき、前記支柱固着部が遊嵌状態となる状態決定部と、
を備えることを特徴とする。
【０００７】
好ましくは、本発明の電牧金具は、前記状態決定部の先端部が鉤状の部分を構成し、前記アーム部を形成する線材に当該鉤状の部分を掛けるとき、前記先端部で前記アーム部を拘持することを特徴とする。
【０００８】
好ましくは、本発明の電牧金具は、前記電牧線把持部を形成する線材が第２の螺旋状の部分を構成し、前記電牧線把持部が当該第２の螺旋状の部分を貫通する電牧線を把持することができることを特徴とする。
【０００９】
好ましくは、本発明の電牧金具は、
前記アーム部が、鳥獣侵入防止柵で用いられる網の目を貫通することができる所定の長さを有し、
前記電牧金具のアーム部が前記網の目を貫通し、前記電牧金具の前記支柱固着部と電牧線把持部の間に前記網が配置されている状態で、前記電牧線把持部が電牧線を把持することができる、
ことを特徴とする。
【００１０】
好ましくは、本発明の電牧金具は、前記アーム部の所定の長さが、１０ｃｍから３０ｃｍまでの間の長さであることを特徴とする。
【００１１】
また、本発明の鳥獣侵入防止柵は、
上述した電牧金具と、
電気絶縁性を有し、前記電牧金具の支柱固着部が取り付けられた支柱と、
前記電牧金具の電牧線把持部によって把持された電牧線と、
前記支柱を挟んで前記電牧線の反対側に配置された網と、
前記支柱の上端に前記網の上端辺を係止する上段係止金具と、
前記支柱の下部を挟持し、前記支柱の下部に前記網の下端辺を係止する下段係止金具と、
を備えることを特徴とする。
【００１２】
また、本発明の鳥獣侵入防止柵は、
上述したアーム部が所定の長さを有する電牧金具と、
電気絶縁性を有し、前記電牧金具の支柱固着部が取り付けられた支柱と、
前記電牧金具の電牧線把持部によって把持された電牧線と、
前記支柱に対し、前記電牧線と同じ側に配置された網と、
前記支柱の上端に前記網の上端辺を係止する上段係止金具と、
前記支柱の下部を挟持し、前記支柱の下部に前記網の下端辺を係止する下段係止金具と、
を備え、
前記電牧金具のアーム部が前記網の目を貫通し、前記電牧金具の支柱固着部と電牧線把持部の間に前記網が配置されている、
ことを特徴とする。
【発明の効果】
【００１３】
本発明によれば、鳥獣侵入防止柵において電牧線の段数と高さを任意に設定でき、鳥獣侵入防止柵を設置してから長い時間が経過しても電牧線の段数と高さを容易に変更することができる。
【図面の簡単な説明】
【００１４】
【図１】（ａ）本発明の実施形態に係る電牧金具の一例の上面図である。（ｂ）本発明の実施形態に係る電牧金具の一例の側面図である。
【図２】支柱の一例を示す図である。
【図３】電牧金具が支柱に固定された状態を示す上面図である。
【図４】（ａ）３段の電牧線が張られた第１の鳥獣侵入防止柵の一例の一部正面図である。（ｂ）３段の電牧線が張られた第１の鳥獣侵入防止柵の一例の側面図である。
【図５】（ａ）４段の電牧線が張られた第１の鳥獣侵入防止柵の一例の一部正面図である。（ｂ）４段の電牧線が張られた第１の鳥獣侵入防止柵の一例の側面図である。
【図６】（ａ）電牧線と網を有する第２の鳥獣侵入防止柵の一例の一部正面図である。（ｂ）電牧線と網を有する第２の鳥獣侵入防止柵の一例の側面図である。
【図７】（ａ）上段係止金具の一例の正面図である。（ｂ）上段係止金具の一例の側面図である。（ｃ）上段係止金具の一例の平面図である。
【図８】（ａ）上段係止金具が支柱に取り付けられた状態を示す側面図である。（ｂ）上段係止金具が支柱に取り付けられた状態を示す正面図である。
【図９】（ａ）下段係止金具の一例の平面図である。（ｂ）下段係止金具の一例の正面図である。
【図１０】（ａ）下段係止金具を支柱に取り付けた状態を示す正面図である。（ｂ）下段係止金具を支柱に取り付けた状態を示す側面図である。（ｃ）下段係止金具を支柱に取り付けた状態を示す平面図である。
【図１１】アンカーピンの正面図である。
【図１２】第２の鳥獣侵入防止柵の所定長さの施工例を示す一部正面図である。
【図１３】（ａ）変形例の下段係止金具を取り付けた状態を示す正面図である。（ｂ）変形例の下段係止金具を取り付けた状態を示す側面図である。（ｃ）変形例の下段係止金具を取り付けた状態を示す平面図である。
【図１４】（ａ）支柱の上端にキャップを取り付けた状態を示す正面図である。（ｂ）支柱の上端にキャップを取り付けた状態を示す側面図である。（ｃ）支柱の上端にキャップを取り付けた状態を示す平面図である。
【図１５】（ａ）第２の鳥獣侵入防止柵の網を上下中間で２つ折りに折り畳んだ状態を示す一部正面図である。（ｂ）第２の鳥獣侵入防止柵の網を上下中間で２つ折りに折り畳んだ状態を示す側面図である。
【図１６】（ａ）第２の鳥獣侵入防止柵の網を３つ折りに折り畳んだ状態を示す側面図である。（ｂ）第２の鳥獣侵入防止柵の網を４つ折りに折り畳んだ状態を示す側面図である。
【図１７】（ａ）第２の鳥獣侵入防止柵の網の下部を一部折り畳んだ状態を示す一部正面図である。（ｂ）第２の鳥獣侵入防止柵の網の下部を一部折り畳んだ状態を示す側面図である。
【図１８】（ａ）電牧線と網を有する第３の鳥獣侵入防止柵の一例の一部正面図である。（ｂ）電牧線と網を有する第３の鳥獣侵入防止柵の一例の側面図である。
【図１９】（ａ）図１８に示す第３の鳥獣侵入防止柵で用いられる電牧金具の一例の上面図である。（ｂ）図１８に示す第３の鳥獣侵入防止柵で用いられる電牧金具の一例の側面図である。
【図２０】図１８に示す第３の鳥獣侵入防止柵において、電牧金具の位置を変更するために、網を浮かせた状態の一例を示す図である。
【発明を実施するための形態】
【００１５】
まず、本発明の実施形態に係る電牧金具について図面を参照しながら説明する。
【００１６】
図１は、本発明の実施形態に係る電牧金具１０１の構成の一例を示す。図１（ａ）は電牧金具１０１の一例の上面図であり、図１（ｂ）は牧金具１０１の一例の側面図である。
電牧金具１０１は、支柱固着部１０２と、電牧線把持部１０３と、アーム部１０４と、状態決定部１０５とを有する。電牧金具１０１は、所定の強度を有する金属性の線材を用いて全体が形成される。その線材の断面は略円状であり、その直径は例えば３ｍｍ〜５ｍｍである。
支柱固着部１０２は、電牧金具１０１を鳥獣侵入防止柵用の支柱に固定する部分である。支柱固着部１０２は、螺旋状の部分を有する線材（螺旋状に巻かれた線材）で形成される。この螺旋状の部分において線材は例えば略２回半巻かれる。鳥獣侵入防止柵を組み立てるとき、支柱固着部１０２の螺旋状の部分に円柱状の支柱を貫通させ、電牧金具１０１を鳥獣侵入防止柵用の支柱に取り付ける。
支柱固着部１０２は、支柱に取り付けられるとき、遊嵌状態と固着状態とを取ることができる。遊嵌状態では、螺旋状の部分が弛み、螺旋状の線材と支柱の間に隙間ができる。この状態では、電牧金具１０１を支柱に沿って動かすことができる。
一方、固着状態では、螺旋状の部分が締まり、螺旋状の線材が支柱を締め付ける。この状態では、電牧金具１０１は支柱に固定され、電牧金具１０１を動かすことはできない。
【００１７】
電牧線把持部１０３は鳥獣侵入防止柵用の電牧線を把持する部分であり、アーム部１０４は支柱固着部１０２と電牧線把持部１０３とを連結する部分である。
アーム部１０４は、支柱固着部１０２を形成する線材の一端から伸びた線材で形成される。
電牧線把持部１０３は、アーム部１０４を形成する線材から更に伸び、先端が螺旋状に数回巻かれた線材で形成される。このように、電牧線把持部１０３は先端に螺旋状に巻かれた部分を有する。電牧金具１０１が鳥獣侵入防止柵用の支柱に取り付けられているとき、電牧線把持部１０３は、先端の螺旋状に巻かれた部分を貫通する電牧線を把持することができる。
【００１８】
状態決定部１０５は、支柱固着部１０２が遊嵌状態と固着状態のいずれを取るかを決定する部分である。状態決定部１０５は、支柱固着部１０２を形成する線材の他端から伸びた線材で形成され、先端に鉤状の部分１０６を有する。
【００１９】
図２に示す支柱１１０は、一般に地面に垂直に立てられる。電牧金具１０１は支柱１１０に取り付けられる。支柱１１０は、例えば、鋼管１１１とポリエチレンパイプ１１２で構成される。
支柱１１０は、円筒状のポリエチレンパイプ１１２の内側に、強度を増すために円筒状の鋼管１１１が挿入された構造である。ポリエチレンパイプ１１２は電気絶縁性を有する。電牧金具１０１が電導性を有する場合であっても、ポリエチレンパイプ１１２が電気絶縁性を有するため、電牧線から支柱１１０を通って地面に電流が流れることはない。
【００２０】
図３は、電牧金具が支柱に固定された状態を示す。図３において、支柱固着部１０２は固着状態であり、電牧線把持部１０３の螺旋状に巻かれた部分を電牧線１１３が貫通している。図３において、図１および図２と同一の構成要素には同一の符号が付されている。
状態決定部１０５の先端部は鉤状の部分１０６を構成する。図３に示すように、アーム部１０４を形成する線材に鉤状の部分１０６を掛けることによって、鉤状の部分１０６でアーム部１０４を拘持することができる。アーム部１０４を形成する線材に鉤状の部分１０６を掛けると、支柱固着部１０２の螺旋状の部分が締まって支柱固着部１０２が支柱１１０に固定されて固着状態となる。このとき、支柱固着部１０２はこの螺旋状の部分を貫通する支柱１１０に固定され、電牧金具１０１を動かすことはできない。
一方、図１に示すように、アーム部１０４を形成する線材から状態決定部１０５の先端の鉤状の部分１０６を外すと（すなわち、鉤状の部分１０６でアーム部１０４を拘持していないとき）、支柱固着部１０２の螺旋状の部分が弛み、支柱固着部１０２は遊嵌状態となる。このとき、支柱固着部１０２の螺旋状の部分を貫通する支柱１１０に沿って電牧金具１０１を動かすことができる。
【００２１】
次に、本発明の実施形態に係る第１の鳥獣侵入防止柵について図面を参照しながら説明する。
図４と図５は、それぞれ３段と４段の電牧線１１３が張られた鳥獣侵入防止柵２０１と鳥獣侵入防止柵２０２の構成の一例を示す。図４（ａ）と図５（ａ）はそれぞれ鳥獣侵入防止柵２０１と鳥獣侵入防止柵２０２を正面から見た図であり、図４（ｂ）と図５（ｂ）はそれぞれ鳥獣侵入防止柵２０１と鳥獣侵入防止柵２０２を側面から見た図である。
図４と図５において、図１〜図３と同一の構成要素には同一の符号が付されている。
鳥獣侵入防止柵２０１と鳥獣侵入防止柵２０２は、電牧金具１０１と、支柱１１０と、電牧線１１３と、図示しない電源とを有している。
【００２２】
鳥獣侵入防止柵２０１を組み立てるときは、まず、地面に突き刺す等の方法によって所定の領域を囲むように複数の支柱１１０を地面に立てる。次に、３段分の電牧金具１０１を支柱１１０に取り付ける。その際、遊嵌状態の電牧金具１０１を支柱１１０の所定の位置に配置した後、アーム部１０４を形成する線材に状態決定部１０５の先端の鉤状の部分１０６を掛けて電牧金具１０１を固着状態とし、電牧金具１０１を支柱１１０に固定する。そして、電牧金具１０１の電牧線把持部１１３に電牧線１１３を通す。最後に、電源により電牧線１１３に高電圧を印加する。
【００２３】
鳥獣侵入防止柵２０１から鳥獣侵入防止柵２０２に変更するとき、すなわち、電牧線１１３を３段から４段に増やすとき、まず、電源を切って電牧線１１３への高電圧の印加を止める。次に、アーム部１０４を形成する線材から状態決定部１０５の先端の鉤状の部分１０６を外し、電牧金具１０１を固着状態から遊嵌状態にする。そして、３段分の電牧金具１０１を電牧線１１３とともに下げて位置を調整した後、電牧金具１０１を固着状態とし、３段分の電牧金具１０１を支柱１１０に再度固定する。次に、１段分の電牧金具１０１を支柱１１０に取り付ける。そして、取り付けた１段分の電牧金具１０１の電牧線把持部１１３に電牧線１１３を通す。最後に、電源により４段の電牧線１１３に高電圧を印加する。
【００２４】
次に、本発明の実施形態に係る第２の鳥獣侵入防止柵について図面を参照しながら説明する。
図６は、電牧線１１３と網３０５を有する第２の鳥獣侵入防止柵３０１の一例を示す。
鳥獣侵入防止柵３０１は、支柱１１０と、電牧金具１０１と、電牧線１１３と、上段係止金具３０３と、下段係止金具３０４と、網３０５とを備える。図６において、図４および図５と同一の構成要素には同一の符号が付されている。
第２の鳥獣侵入防止柵３０１には、電牧金具１０１と電牧線１１３が図４と同様に配置されている。
また、第２の鳥獣侵入防止柵３０１は、支柱１１０を挟んで電牧線１１３の反対側に網３０５が配置されている。網３０５は、例えばポリエチレン等の樹脂製であり、曲げることができる。網３０５は、上段係止金具３０３と下段係止金具３０４とによってその上端と下端を支柱１１０に固定され、支柱１１０間に張設される。
【００２５】
上段係止金具３０３は、支柱１１０の上端に網３０５の上端辺を固定する。上段係止金具３０３は、図７と図８に示すように、挿入部３１１と、金具係止部３１２と、上端ロープ係止部３１４とを備えている。上段係止金具３０３は、所定の強度を有する金属性の線材を折り曲げて全体が形成される。
【００２６】
挿入部３１１は、支柱１１０の内側の鋼管１１１の筒内に挿入される。挿入部３１１は、鋼管１１１の筒内に挿入できるようにＵ字形状に折曲されて形成されている。
金具係止部３１２は、支柱１１０の上端を挟み込む。金具係止部３１２は、挿入部３１１の一端から伸びて挿入部３１１と同一平面上に逆Ｕ字状に折曲されて形成される。
上端ロープ係止部３１４は網３０５の上端辺に配置される上端ロープ３１３を保持する。上端ロープ係止部３１４は、金具係止部３１２の先端部から延びて金具係止部３１２に対して斜設する如く斜め方向｛図７（ｂ）に於いて左斜め方向｝に円状に折曲されて形成されている。即ち、上端ロープ係止部３１４は、金具係止部３１２の先端部から延びて斜め方向に円状に略一回転し、その先端部が金具係止部３１２の先端部に、上端ロープ３１３の出し入れを行うための隙間を残して近接するように形成されている。
なお、上端ロープ３１３は、網３０５の上端辺の網目を交互に貫通させて配設しても良く、或いは、網３０５の上端辺の適宜網目部に結んで配設しても良い。
【００２７】
図８は、上段係止金具３０３の係止状態を示す。挿入部３１１を支柱１１０の上端から筒内に挿入し、金具係止部３１２で支柱１１０の上端を挟持することにより上段係止金具３０３を支柱１１０に固定する。そして、斜め方向に円状に折曲された上端ロープ係止部３１４の先端部と金具係止部３１２の先端部との隙間から上端ロープ３１３を上端ロープ係止部３１４の内側に導入し、上端ロープ３１３を上端ロープ係止部３１４に把持させる。
【００２８】
下段係止金具３０４は、支柱１１０の下部に網３０５の下端辺を固定する。下段係止金具３０４は、図９と図１０に示すように、挟持部３２１と、下端ロープ係止部３２３とを備えている。下段係止金具３０４は、所定の強度を有する金属性の線材を折り曲げて全体が形成される。
挟持部３２１は支柱１１０を挟持する。挟持部３２１は略半円状に折曲されて形成される。
下端ロープ係止部３２３は、網３０５の下端辺に配置される下端ロープ３２２を保持する。下端ロープ係止部３２３は、挟持部３２１の両端に夫々延設されて挟持部３２１と同一平面上に略逆半円状に折曲されて形成されている。
なお、下端ロープ３２２は、網３０５の下端辺の網目を交互に貫通させて配設しても良く、或いは、網３０５の下端辺の適宜網目部に結んで配設しても良い。
【００２９】
図１０は、下段係止金具３０４の係止状態を示す。下段係止金具３０４は、挟持部３２１に支柱１１０を挟持させた状態で、図１０（ａ）に於いて左側の下端ロープ係止部３２３の内側に下から上に向けて下端ロープ３２２を通す。そして、更に、右側の下端ロープ係止部３２３の内側に上から下に向けて下端ロープ３２２を通し、下端ロープ３２２を下端ロープ係止部３２３に保持させる。保持されている下端ロープ３２２は、左右の下端ロープ係止部３２３の間が上段となり、その外方が下段となり、段差が形成される。
【００３０】
また、鳥獣侵入防止柵３０１では、必要に応じて、支柱１１０間において、図１１に示すアンカーピン３２４を用いて網３０５の下端辺、又は、網３０５の下端辺に配設される下端ロープ３２２を地面に固定することができる。
アンカーピン３２４を使用する場合は、アンカーピン３２４の上部の鉤部に、網３０５の下端辺、又は、網３０５の下端辺に配設される下端ロープ３２２を引っ掛け、アンカーピン３２４の頭部を叩いて、アンカーピン３２４の下部の槍部を地面に打ち込む。
アンカーピン３２４は、必要に応じて、支柱１１０間に於いて適宜１乃至複数本打ち込む。
【００３１】
従って、図６に示すように、複数の支柱１１０に上段係止金具３０３と下段係止金具３０４を取付け、上段係止金具３０３と下段係止金具３０４により網３０５を支柱１１０間に張設すれば、鳥獣侵入防止柵３０１が完成する。
更に、必要に応じて、適宜本数のアンカーピン３２４を打ち込み、網３０５の下端辺、又は、網３０５の下端辺に配置される下端ロープ３２２を地面に固定する。
【００３２】
図１２は、５本の支柱１１０間に網３０５を張設し、３段の電牧線１１３を配置した所定長さの鳥獣侵入防止柵３０１の一部を示す。鳥獣侵入防止柵３０１は、５本の支柱１１０よりも長く設置することができ、或いは、柵として一定のスペースを囲い込むことも可能である。
【００３３】
図１３は、変形例の下段係止金具３３１を示す。下段係止金具３３１は、上述した鳥獣侵入防止柵３０１の下段係止金具３０４に代えて用いることができる
下段係止金具３３１は、下段係止金具３０４の下端ロープ係止部３２３に代えて変形例の下端ロープ係止部３３２を設けたものである。下端ロープ係止部３３２は、挟持部３２１に対し斜め外方｛図１３（ａ）に於いて斜め上方外方｝に向かって略半円状に折曲されて斜設されている。挟持部３２１の両端の下端ロープ係止部３３２を介して下段係止金具３３１に保持されている下端ロープ３２２は、図１３（ａ）に示すように、水平方向から見て、曲折することなく、即ち、段差になることなく、略直線状に掛架される。
但し、平面視では、図１３（ｃ）に示す如く、下端ロープ３２２が、支柱１１０と、左右の下端ロープ係止部３３２に部分的に巻回して下端ロープ３２２は曲折状態となる。
【００３４】
下段係止金具３３１は、下端ロープ３２２を、水平方向から見て、曲折することなく、直線状になるように保持する。このため、下段係止金具３３１で下端ロープ３２２を保持した場合、下段係止金具３０４で保持した場合に比較して、外観が良好となる。また、下段係止金具３０４のように下端ロープ３２２を下方に曲折させないので、下端ロープ３２２の係止作業が容易になる。
【００３５】
図１４は、鳥獣侵入防止柵３０１の支柱１１０の上端に着脱自在のキャップ３４１を設けたものである。キャップ３４１は必要に応じて適宜選択的に設けることができる。
キャップ３４１は、支柱１１０の外径以上の径を有する蓋部３４２と、支柱１１０の内壁内に嵌挿される嵌挿部３４３とから構成される。蓋部３４２には、上段係止金具３０３の金具係止部３１２が貫通する孔３４４が開穿されている。
キャップ３４１を支柱１１０に取り付ける場合は、予めキャップ３４１の孔３４４に上段係止金具３０３を貫通させてから取付ける。
【００３６】
図１５は、主として冬季間における鳥獣侵入防止柵３０１の使用法の一例である。図１５に示すように、鳥獣侵入防止柵３０１は、網３０５の上端に配置された上端ロープ３１３を上段係止金具３０３に保持させた状態で、網３０５を上下中間で２つ折りに折り畳み、網３０５の下端の下端ロープ３２２も上段係止金具３０３に保持させることができる。このとき、電牧金具１０１と電牧線１１３は折り畳まれた網３０５と重なる位置に配置する。
なお、この場合に於いても、図６と同様に下段係止金具３０４は取付けておく。
【００３７】
図１５に示すように網３０５を折り畳むことによって、積雪による加重を避け、積雪荷重により、網３０５が引き延ばされてたるむ現象を防止することができる。
また、雪が深い場合は、積雪と、折り畳んだ状態の網３０５とで鳥獣侵入防止柵の効果が期待できる。即ち、積雪が鳥獣侵入防止柵の下部側の柵の役目を果たし、上下中間で折り畳んだ状態の網３０５が、鳥獣侵入防止柵の上部側の柵の役目を果たす。この時、所定高さの積雪があれば、上下中間で折り畳んだ状態の網３０５の下端部は、積雪によってある程度動かないように保持される。
【００３８】
なお、この場合、必要に応じて、上下中間で折り畳んだ状態の網３０５の下端部を下段係止金具３０４により固定しても良い。その場合には、予め、上下中間で折り畳んだ状態の網３０５の下端部に位置するように、下段係止金具３０４を支柱１１０の適宜高さに別途取付けておく。
また、その場合、上下中間で折り畳んだ状態の網３０５の下端部を下段係止金具３０４で直接固定しても良いが、予め上下中間で折り畳んだ状態の網３０５の下端部となる位置に、下段係止金具３０４で固定するためのロープを配置し、そのロープを下段係止金具３０４で固定しても良い。
【００３９】
更に、鳥獣侵入防止柵３０１は、冬季間終了時に、雪解け時期にとらわれず、網３０５を折り畳んだ状態から、図６に示すように網３０５が柵の下部側に張設された状態に変更することができる。
【００４０】
また、図１５の鳥獣侵入防止柵３０１の使用法を、例えば、草刈り期間（時間であっても良い。）にも適用できる。草刈り期間において、網３０５の上端に配置された上端ロープ３１３を上段係止金具３０３に保持させた状態で、網３０５の下端の下端ロープ３２２も上段係止金具３０３に保持させて、網３０５を上下中間で折り畳んだ状態に維持する。
なお、この場合に於いても、下段係止金具３０４は取付けておく。
【００４１】
前記草刈り期間に於ける使用法によって、草刈り機等による網３０５や電牧線１１３の損傷を防止することができると共に、網の下方の草刈りが可能となる。
草刈り期間が終了したら、網３０５を折り畳んだ状態から、図６に示すように網３０５が柵の下部側に張設された状態に変更する。
なお、図１５に示す鳥獣侵入防止柵３０１の使用法は、冬季間及び草刈り期間の適用に限定されるものではなく、他の必要な期間や、目的に適用することも可能である。
【００４２】
図１６（ａ）は、鳥獣侵入防止柵３０１の他の使用法の一例である。図１６（ａ）の鳥獣侵入防止柵３０１は、網３０５の上端に配置された上端ロープ３１３が上段係止金具３０３に保持された状態で、網３０５の上下間の所定箇所、好適には、網３０５の上端から上下幅の約２／３の下方箇所が上段係止金具３０３で固定されている。図１６（ａ）では、網３０５は３つ折りに折り畳んだ状態に維持される。このとき、電牧金具１０１と電牧線１１３は３つ折りに折り畳まれた網３０５と重なる位置に配置する。
【００４３】
図１６（ｂ）は、鳥獣侵入防止柵３０１の更に他の使用法の一例である。図１６（ｂ）の鳥獣侵入防止柵３０１は、網３０５の上端に配置された上端ロープ３１３が上段係止金具３０３に保持された状態で、網３０５の上下間の所定箇所、好適には、網３０５の上端から上下幅の約１／２下方箇所と、網３０５の下端ロープ３２２とが上段係止金具３０３で固定されている。図１６（ｂ）では、網３０５は４つ折りに折り畳んだ状態に維持される。このとき、電牧金具１０１と電牧線１１３は４つ折りに折り畳まれた網３０５と重なる位置に配置する。
【００４４】
図１６（ａ）及び図１６（ｂ）の使用法においては、網３０５の最下端位置を高い位置に保持し、積雪の多い場合に網３０５の損傷を防止することができる。
図１６（ａ）及び図１６（ｂ）の使用法において、所定期間終了時には、網３０５の上端（この場合、上端ロープ３１３）を除く固定部分（下端ロープ３２２を含む）を上段係止金具３０３から外し、網３０５の下端を下段係止金具３０４に係止して網３０５を張設する。
なお、状況に応じて、上述した４つ折りよりも更に多く折り畳むことも可能である。
【００４５】
図１７は、冬期間または草刈り期間等の所定期間における鳥獣侵入防止柵３０１の更に他の使用法の一例である。例えば、図６と同じ位置に配置された下段係止金具３０４（以下、下段の下段係止金具３０４という。）よりも上方で、且つ、上段係止金具３０３から所定寸法(任意の寸法に設定可能である。例えば、網３０５の上下幅の１／４程度の寸法）下げた位置（以下、中段という。）に、別の下段係止金具３０４を配置する。網３０５の上端に配置された上端ロープ３１３を上段係止金具３０３に保持させた状態で、網３０５の下端の下端ロープ３２２を中段の下段係止金具３０４に保持させて、網３０５の下部を一部折り畳んだ状態に維持する。冬期間、又は、草刈り期間等の所定期間終了時に、下端ロープ３２２を中段の下段係止金具３０４から外し、下端ロープ３２２を下段の下段係止金具３０４に保持させて網３０５を張設する。
なお、中段と下段の下段係止金具３０４を別々に設けることなく、下段の下段係止金具３０４を中段の位置に移動させて用いることも可能である。そして、所定期間終了時に、網３０５を下段まで張設する時は、中段に移動させた下段係止金具４を下段の位置に戻せば良い。
【００４６】
図１７に示す鳥獣侵入防止柵３０１の使用法によっても、図１５に示した鳥獣侵入防止柵３０１の使用法と同様の効果が期待できる。
ただし、図１７に示す鳥獣侵入防止柵３０１の使用法の場合は、必要に応じて、中段の下段係止金具３０４の取付位置を変えることにより、網の折り畳みの割合（地面からどの程度持上げるか）を調節することができる。これにより、例えば、積雪の深さに応じて網３０５の折り畳んだ状態における下端部の位置調節が可能となる。
なお、図１７に示す鳥獣侵入防止柵３０１の使用法は、冬季間及び草刈り期間の適用に限定されるものではなく、他の必要な期間や、目的に適用することも可能である。
【００４７】
次に、本発明の実施形態に係る第３の鳥獣侵入防止柵について図面を参照しながら説明する。
図１８は、電牧線１１３と網４０２を有する第３の鳥獣侵入防止柵４０１の一例を示す。
鳥獣侵入防止柵４０１は、図１８に示すように、支柱１１０と、網４０２と、電牧金具４０３と、電牧線１１３と、上段係止金具３０３と、下段係止金具３０４とを備える。図１８において、図４〜図６と同一の構成要素には同一の符号が付されている。
図１８の鳥獣侵入防止柵４０１では、電牧金具４０３と電牧線１１３は図６と同様に配置されている。
ただし、図６と異なり、網４０２は、支柱１１０に対し、電牧線１１３と同じ側に配置されている。また、図６の鳥獣侵入防止柵３０１で用いられる網３０５は必ずしも電気絶縁性を有する必要はないが、網４０２は電気絶縁性を有する必要がある。網４０２は、例えばポリエチレン等樹脂製であり、曲げることができる。
【００４８】
電牧金具４０３は、図１９に示すように、支柱固着部１０２と、電牧線把持部１０３と、アーム部４０４と、状態決定部１０５とを有する。図１９において、図１と同一の構成要素には同一の符号が付されている。電牧金具４０３も、電牧金具１０１と同様に、所定の強度を有する金属性の線材を折り曲げて全体が形成される。その線材の断面は略円状であり、その直径は例えば３ｍｍ〜５ｍｍである。
アーム部４０４は、網４０２の目を貫通することができる所定の長さを有する。アーム部４０４の長さは、図１９に示すように、例えば１０ｃｍ〜３０ｃｍである。
アーム部４０４が網４０２の目を貫通し、支柱固着部１０２と電牧線把持部１０３の間に網４０２が配置されている状態で、電牧線把持部１０３は電牧線１１３を把持することができる。
【００４９】
鳥獣侵入防止柵４０１では、図１８（ｂ）に示すように、電牧金具４０３のアーム部４０４が網４０２の目を貫通し、電牧金具４０３の支柱固着部１０２と電牧線把持部１０３の間に網４０２が配置されている。
このため、支柱１１０に取り付けられている電牧金具４０３の位置を変更するときには、まず、一時的に電牧金具４０４の電牧線把持部１０３から電牧線１１３を取り外す。次に、図２０に示すように網４０２を浮かし、電牧金具４０３の位置を変更する。そして、状態決定部１０５の先端の鉤状の部分１０６でアーム部４０４を拘持し、アーム部４０４に網４０２の目を貫通させる。支柱固着部１０２と電牧線把持部１０３の間に網４０２が配置されている状態で、再度電牧金具４０４の電牧線把持部１０３に電牧線１１３を把持させて鳥獣侵入防止柵４０１に電牧線１１３を取り付ける。
【００５０】
なお、電牧金具４０３は、電牧金具１０１におけるアーム部１０４の長さを網４０２の目を貫通することができる所定の長さと規定しただけであり、その他に電牧金具１０１と何ら異なるとことはない。また、網４０２は、電気絶縁性を有すること以外に網３０５と異なるところはない。図６に示す第２の鳥獣侵入防止柵３０１を、電牧金具１０１と網３０５の代わりに電牧金具４０３と網４０２を用いて構成することができるのはもちろんである。
また、第３の鳥獣侵入防止柵４０１でも、第２の鳥獣侵入防止柵３０１と同様に、下段係止金具３０４の代わりに下段係止金具３３１を用いることができる。
【００５１】
更に、第３の鳥獣侵入防止柵４０１でも、必要に応じて、支柱１１０間において、図１１に示すアンカーピン３２４を用いて網４０２の下端辺、又は、網４０２の下端辺に配設される下端ロープ３２２を地面に固定することができる。
また、第３の鳥獣侵入防止柵４０１の支柱１１０の上端にも必要に応じて図１４に示すキャップ３４１をかぶせることができる。
また、第３の鳥獣侵入防止柵４０１も、図１５〜図１７を参照して第２の鳥獣侵入防止柵３０１について説明したのと同様に、網４０２を折り畳んで使用することができる。
【００５２】
また、上記実施形態では、支柱１１０は鋼管１１１とポリエチレンパイプ１１２で構成されるとしたが、支柱１１０は、電気絶縁性を有すればよく、プラスチック等の導電性のない素材で形成してもよい。
また、第１の鳥獣侵入防止柵２０１のように、網３０５を有さない場合には、支柱１１０は中空の円筒ではなく、空洞を含まない円柱でもよい。
【００５３】
また、上記実施形態では、電牧線把持部１０３の先端部の線材は螺旋状の部分を構成するとしたが、電牧線把持部１０３の先端部は電牧線１１３を把持できる構造であればよく、円周等他の構造であってもよい。
【００５４】
以上説明したように、本発明によれば、鳥獣侵入防止柵において電牧線の段数と高さを任意に設定でき、鳥獣侵入防止柵を設置してから長い時間が経過しても電牧線の段数と高さを容易に変更することができる。
【００５５】
上述した実施形態と異なり、電牧線をボルトとナットを含む金具により支柱に取り付けることも可能である。しかし、その場合長い時間が経過すると、ボルトとナットが錆びついてしまい、電牧線の段数や高さを変更することが困難になる。
本発明に係る電牧金具は、螺旋状の線材で支柱を締め付けることにより、支柱に固定される。アーム部を形成する線材から状態決定部の先端の鉤状の部分を外すと、支柱固着部の螺旋状の線材が弛み、電牧金具を動かすことができる。このため、本発明に係る電牧金具を用いた鳥獣侵入防止柵は、長い時間が経過しても、電牧線の段数や高さを容易に変更することができる。
【００５６】
このため、本発明に係る鳥獣侵入防止柵を中山間地に設置する場合、斜面や窪み等地形の状況に応じて鳥獣の侵入防止に効果的な段数や高さで電牧線を支柱に取り付けることができる。
また、地面が硬くて支柱を基準深さまで打ち込めない場合、本発明に係る鳥獣侵入防止柵は、地面から出ている支柱の高さに応じて電牧線の段数や高さを調整することができる。
また、本発明に係る鳥獣侵入防止柵は、対象とする鳥獣の大きさに応じて電牧線の段数や高さを調整することができる。
【００５７】
また、本発明に係る鳥獣侵入防止柵は、１段目の電牧線に高電圧を印加し、２段目の電牧線を接地するという使い方をすることもできる。
更に、本発明に係る鳥獣侵入防止柵は、当初設置した電牧線の段数では家畜や農作物等の被害を防げないとき、後日電牧線の段数を増やすことができる。このように、本発明に係る鳥獣侵入防止柵は、被害の状況に応じて対策を強化することができる。
【００５８】
また、本発明に係る電牧金具を用いて鳥獣侵入防止柵を構成することにより、電牧線と支柱の間にアーム部の長さ分の間隔を設けることができる。このため、電牧線と支柱が接触する可能性が低くなり、鳥獣侵入防止柵を設置してから長期間経過し、支柱の一部分の絶縁性が低下した場合であっても漏電しにくくなる。
特に、上述した第３の鳥獣侵入防止柵では、電牧線と支柱の間に電気絶縁性を有する網が配置されているため、電牧線と支柱が接触することをほぼ防止することができる。
【００５９】
また、本発明に係る鳥獣侵入防止柵では、電牧線と網を併用することにより、鳥獣侵入防止柵に近づいた動物が電牧線により電気ショックを受けるため、網や支柱に触れなくなる。このため、体当たり等により網を破壊する行為を防止することができる。また、適度な間隔をもうけて電牧線を配置することにより、動物が網を上って進入することを防止することができる。
【００６０】
また、本発明に係る鳥獣侵入防止柵は、軽量な素材で構成することができる。このような軽量な素材で構成された鳥獣侵入防止柵は、高齢化している農家においても、農家の人が業者施工や、機械等に頼ることなく、農家の人だけで自力で施工することができる。
【００６１】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００６２】
１０１、４０３…電牧金具、１０２…支柱固着部、１０３…電牧線把持部、１０４、４０４…アーム部、１０５…状態決定部、１０６…状態決定部の鉤状部分、１１０…支柱、１１１…鋼管、１１２…ポリエチレンパイプ、１１３…電牧線、２０１、２０２、３０１、４０１…鳥獣侵入防止柵、３０３…上段係止金具、３０４，３３１…下段係止金具、３０５、４０２…網、３１１…上段係止金具の挿入部、３１２…上段係止金具の金具係止部、３１３…上端ロープ、３１４…上段係止金具の上端ロープ係止部、３２１…下段係止金具の挟持部、３２２…下端ロープ、３２３、３３２…下段係止金具の下端ロープ係止部、３４１…キャップ
【図１】
2012029661.tif 000003
【図２】
2012029661.tif 000004
【図３】
2012029661.tif 000005
【図４】
2012029661.tif 000006
【図５】
2012029661.tif 000007
【図６】
2012029661.tif 000008
【図７】
2012029661.tif 000009
【図８】
2012029661.tif 000010
【図９】
2012029661.tif 000011
【図１０】
2012029661.tif 000012
【図１１】
2012029661.tif 000013
【図１２】
2012029661.tif 000014
【図１３】
2012029661.tif 000015
【図１４】
2012029661.tif 000016
【図１５】
2012029661.tif 000017
【図１６】
2012029661.tif 000018
【図１７】
2012029661.tif 000019
【図１８】
2012029661.tif 000020
【図１９】
2012029661.tif 000021
【図２０】
2012029661.tif 000022